(57)【特許請求の範囲】
【請求項１】
下半身用衣服の両外側において、下半身用衣服の上端から１ｃｍ以上７ｃｍ未満の下方から前身頃と後身頃の外側部当接個所に沿って延設され、長さが１０ｃｍ以上２０ｃｍ未満に形成された、下半身用衣服の内部に通ずる開口に、該開口を開閉自在なスライドファスナーが設置されていることを特徴とする下半身用衣服。
【請求項２】
下半身用衣服は前身頃、後身頃及びウエスト部を備えて構成され、前記開口は、前記ウエスト部の下端から０〜２ｃｍ下方から延びて形成されていることを特徴とする請求項１に記載の下半身用衣服。
【発明の詳細な説明】
【技術分野】
【０００１】
本発明は、ズボン、スカート等の下半身用衣服に関する。
【背景技術】
【０００２】
スラックスを含むズボンやスカート等の下半身用のはき物の衣服とワイシャツ、ポロシャツ、Ｔシャツ、ブラウス等の上半身用衣服を組み合わせて、下半身用衣服の内側に上半身用衣服を入れて着た際に、下半身用衣服から上半身用衣服がずり上がってしまうという問題点があった。
【０００３】
そこで、下半身用衣服の内側に入れられた上半身用衣服のずり上がりを防止するために、下半身用衣服のウエスト部の内側に滑り止め材を設けたものが提案されている（例えば、特許文献１参照。）。
【０００４】
又、上半身用衣服のずり上がりの防止とは全く無関係ではあるが、ストマ装着者がストマの袋を交換する際に、その作業を円滑に出来るようにするために、ズボンの少なくとも一方の脚部の外側の側方線に沿って上下方向にズボンの上端及び下端に達しない開口が設けられてその開口をスライドファスナーによって開閉自在として、該開口を通してストマの出し入れが可能なズボンが提案されている（特許文献２参照。）。
【先行技術文献】
【特許文献】
【０００５】
【特許文献１】ＷＯ９８／１６１２７
【特許文献２】実用新案登録第３１２４１６２号公報
【発明の概要】
【発明が解決しようとする課題】
【０００６】
しかし、特許文献１に開示された発明は、上半身用衣服のずり上がりを抑制することは出来るが、ずり上がりを完全に防止することは出来なかった。そして、このようにずり上がって下半身用衣服のウエスト部からはみ出た上半身用衣服は、結局、下半身用衣服の上方から下半身用衣服の内部へ押し込む作業によりずり上がりを直していた。しかし、この作業の際には滑り止め材が却って邪魔になり、上半身用衣服を直すことが容易ではなかった。
【０００７】
更に、滑り止め材により、上半身用衣服に汚れが付着したり、生地が傷んでしまうこともあった。又、体を動かせば必ずずり上がってくるシャツをずり上がらないように強制したズボンでは、体の身動きを悪くし、様々な機能を発揮できるように形成されたズボンもその機能を充分には発揮することが出来なかった。
【０００８】
又、特許文献２に開示された発明は、ストマの出し入れのための開口が開示されているのみであり、当該開口をずり上がった上半身用衣服を下半身用衣服の内部へ入れることに使用することの示唆は全くなく、特許文献２に開示されたズボンの使用者は、当該開口をずり上がった上半身用衣服を下半身用衣服の内部へ入れることに使用することは出来なかった。
【０００９】
仮に上半身用衣服を下半身用衣服の内部へ引っ張り込むために使用されることがあったとしても、ズボンの開口の位置がズボンの上端から７〜１０ｃｍ下方から延びて、長さが２０〜３０ｃｍ程度に構成されているため、ストマの出し入れは容易となるが、開口に手を入れて下半身用衣服の内部にある上半身用衣服を把持してずり上がった上半身用衣服を下半身用衣服の内部へ引っ張り込むためには適切な位置ではなく、容易には上半身用衣服を下半身用衣服の内部へ引っ張り込むことは出来ない。
【００１０】
更に、ストマの出し入れのための開口であるので、開口は脚部の何れか一方のみに設ければよいとしている。しかし、脚部の何れか一方のみに設ける構成では、上半身用衣服の片側しか引っ張ることが出来ないので、上半身用衣服を下半身用衣服の内部へ左右のバランス良く引っ張り込むことは出来ない。
【００１１】
そこで、本発明は、上半身用衣服の下半身用衣服からのずり上がりを容易に且つ左右のバランス良く直すことが出来る下半身用衣服を提供することを目的とする。
【課題を解決するための手段】
【００１２】
上記の課題を解決するための手段としての本発明は、下半身用衣服の両外側において、下半身用衣服の上端から１ｃｍ以上７ｃｍ未満の下方から前身頃と後身頃の外側部当接個所に沿って延設され、長さが１０ｃｍ以上２０ｃｍ未満に形成された開口に、該開口を開閉自在なスライドファスナーが設置されていることを特徴とする下半身用衣服である。
【００１３】
又、上記下半身用衣服において、下半身用衣服は前身頃、後身頃及びウエスト部を備えて構成され、前記開口は、前記ウエスト部の下端から０〜２ｃｍ下方から延びて形成されていることを特徴とする下半身用衣服である。
【発明の効果】
【００１４】
以上のような本発明によれば、上半身用衣服の下半身用衣服からのずり上がりを容易に且つ左右のバランス良く直すことが可能となった。
【図面の簡単な説明】
【００１５】
【図１】本発明一実施例スライドファスナー閉じ状態側面図
【図２】本発明一実施例スライドファスナー開き状態側面図
【図３】本発明一実施例正面図
【図４】本発明他実施例側面図
【図５】本発明一実施例使用状態図
【図６】本発明一実施例使用状態図
【発明を実施するための形態】
【００１６】
以下、本発明の実施の形態を図を参照して説明する。尚、本発明の下半身用衣服はジャージ等のズポーツ用ズボン、スラックス、雨合羽のズボン、パジャマのズボン等を含むズボン及びスカート等の下半身用のはき物の衣服を含み、ズボンの場合、長ズボン、半ズボンその他の長さのズボンを含むが、実施の形態ではスーツ用のズボンを例にして説明する。又、ズボン内からずり上がる上半身用衣服は、下半身用衣服内にいれて着用するＴシャツ、ワイシャツ、その他のシャツ、セーター等の衣服を含むが、ワイシャツを例に説明する。
【００１７】
本発明の下半身用衣服、ズボン１は、図１〜図３によく示すように、前身頃２、後身頃３及びウエスト部４を備え、これらの部材が縫製されて構成されている。前身頃２は、右足側前身頃２１と左足側前身頃２２に分割された部材を縫製して構成するが、一体成型されていてもよい。同様に、後身頃３は、右足側後身頃３１と左足側後身頃３２に分割された部材を縫製して構成するが、一体成型されていてもよい。
【００１８】
ウエスト部４は、ズボン１の上端にズボン１の周囲に亘って構成され、着用者のウエストに対応する部分であり、図に示すように、別個の部材が前身頃２及び後身頃３に縫製された構成とするが、前身頃２及び後身頃３と一体成形された構成でもよい。ウエスト部４は、他の部材と別個の部材で構成されている場合には、ウエストマンやウエストバンドとも称される部分である。
【００１９】
ウエスト部４を別個の部材で構成する場合、１本の帯状の部材の両端部を右足側前身頃２１と左足側前身頃２２の当接箇所で対向させた帯状としてもよく、前身頃２と後身頃３に夫々連結された帯状の複数本の部材を連結させた構成としてもよい。ウエスト部４には、ウエスト見返しに被覆される等の構成でゴムを設置することとしてもよい。
【００２０】
ズボン１の左右の両外側には、ズボン１の上端１０及び下端に開放しない開口５が設けられている。開口５は、ズボンの左右両側のウエスト部４の下方から前身頃２と後身頃３の外側部当接個所２３０を縫製しないことにより形成されている。そして、開口５には開口５を開閉自在なスライドファスナー６が設置されている。
【００２１】
詳しくは、図１及び図２に示すように、スライドファスナー６は、前身頃２と後身頃３の対向する側端部の縫いしろ部２７、３７の夫々にスライドファスナー６の布製基部６１の両側６１０を縫い合わせて設置している。ズボン１に裏生地を備える場合には、布製基部６１はズボン１の裏生地と縫い合わせて設置してもよい。このように、前身頃２と後身頃３からズボン１内方に延設された縫いしろ部２７、３７又は／及びズボンの裏生地のみと縫い合わせて、ズボン１の表面にスライドファスナー６との縫い目が現れないように構成することが好ましい。
【００２２】
このような構成としたのは、開口５を前身頃２と後身頃３の外側部当接個所２３０に設けることにより、開口５から手７をズボン１内に入れた時に、ワイシャツ９の前身頃９１と後身頃９２の側部当接個所９３を把持し易く、ワイシャツ９の側部当接個所９３を把持して下方に引くことにより、ワイシャツ９の前身頃９１及び後身頃９２を同時にズボン１内に引き込むことが可能となるからである。又、開口５を大きく広げなくともワイシャツ９の側部当接個所９３を把持することが出来、ズボン１内を他人に見せることなく、人前で開口５を開くことが出来、人前でワイシャツ９のずり上がりを直すことが可能となっている。
【００２３】
又、開口５をズボン１の左右の両外側に設ける構成により、ワイシャツ９の両側の側部当接個所９３を同時に把持することが出来、ワイシャツ９のズボン１からのずり上がりを左右のバランス良く直すことが出来る。従って、ワイシャツ９の両側の側部当接個所９３を両手で同時に把持して同時にズボン１内に引き込むことにより、ワイシャツ９の前身頃９１及び後身頃９２を同時にズボン１内に引き込むと同時に左右のバランス良くズボン１内に引き込むこと、即ちワイシャツ９の左右前後のバランス良く同じ丈をズボン１内に引き込むことが出来る。
【００２４】
又、開口５を前身頃２と後身頃３の外側部当接個所２３０に設けることにより、開口５を目立たなくすることが出来ること、ズボン１のデザインを邪魔することがないこと、ズボン１の生地に切れ目を設ける必要がないことという利点がある。更に、ズボン１の製造時にズボン１の生地に切れ目をつくる作業が不要で、もともと前身頃２と後身頃３を縫い合わせるところをスライドファスナー６に替えて縫い合わせるので、製造工程がほとんど変わらずに製造できるという利点がある。更に、本発明のような開口５及びスライドファスナー６を有さない通常のズボンも、前身頃２と後身頃３の縫製を少しほどいてスライドファスナー６を縫い合わせて本発明のズボン１を容易に製造出来るという利点もある。
【００２５】
開口５はズボン１の上端１０からの距離Ｋが１ｃｍ以上７ｃｍ未満の下方から前身頃２と後身頃３の外側部当接個所２３０に沿って延設され、長さＬが１０ｃｍ以上２０ｃｍ未満に形成されている。
【００２６】
このような構成としたのは、開口５がズボン１の上端１０からの距離Ｋが１ｃｍ未満から設けられると、ズボン１の上端部分の縫製強度が弱くなり、開口５に手７を出し入れして使用することからも、糸がほつれて開口５が上方に広がり、ズボン１の上端が開放してしまう恐れがあるからである。又、開口５がズボン１の上端１０から７ｃｍ以上であると、通常の人間の腕の長さを鑑みると手７を開口５からズボン１内に入れにくくなるからである。
【００２７】
又、開口５の長さＬを１０ｃｍ以上としたのは、１０ｃｍ未満であると、手７又は２本以上の指をいれてワイシャツ９を把持することが困難となるからである。又、開口５の長さＬは２０ｃｍ未満で充分に手７を入れてワイシャツ９を把持してワイシャツ９を直すことが出来る一方、それ以上の長さの開口は不要であり、開口５の長さＬが２０ｃｍ以上であると開口５が大きくなりすぎてズボン１内が他人から見えやすくなり好ましくないからである。
【００２８】
そして、開口５がズボン１の上端１０からの距離Ｄを上端１０から下方に２７ｃｍ未満で形成されることにより、スーツの上着、ジャケット等の上半身用上着の形状にもよるが、平均的な上半身用上着を着用した場合には開口５が上半身用上着により覆われて見えにくくなることも利点である。
【００２９】
開口５の長さＬを１０ｃｍ以上とし、且つ開口５がズボンの上端から下方に２７ｃｍ未満で構成されることで、ワイシャツ９の側部当接個所９３の下端を容易に把持することが出来、ワイシャツ９の両側の同じ位置を把持してズボン１内に引き込むことが出来るので、ワイシャツ９の左右前後のバランス良く同じ丈をズボン１内に引き込むことがより可能となっている。
【００３０】
開口５は、ウエスト部４、前身頃２及び後身頃３の接点から下方に距離Ｎをもって形成された構成としてもよい。ウエストバンドが形成されたズボンでは、ウエストバンドの幅は通常３〜４ｃｍであるので、ウエスト部４の下端から０〜２ｃｍ下方から延びて、即ち距離Ｎを０〜２ｃｍとして形成された構成とすることが出来る。この場合、前身頃２及び後身頃３の上端部分の縫製強度を確保するために、ウエスト部４即ちウエストバンドの下端から０．５〜１ｃｍ下方から延びて形成された構成とすることが好ましい。
【００３１】
又、図４に示すように、開口５及びスライドファスナー６を隠すタブ８を設けることとしてもよい。タブ８により、開口５及びスライドファスナー６を隠すことが出来ると共に、ズボン１の意匠性を高めることが出来る。更に、タブ８により、スライドファスナー６を開けて開口させ、更には手７を開口５に入れても、ズボン１内を隠すことが出来るので、人前でも開口５に手を入れてワイシャツ９のずり上がりを直すことが可能となる。尚、タブ８は前身頃２に縫い付けて構成してもよく、後身頃３に縫い付けて構成してもよい。
【００３２】
次に、ズボン１からずり上がったワイシャツ９をズボン１内に引き込む動作について説明する。図５に示すように、ワイシャツ９がズボン１からずり上がり、ワイシャツ９のだぶついた部分９９が生じている場合に、ズボン１の左右の両外側のスライドファスナー６を開けて開口５を開口させて、両手７、７を開口５からズボン１内部へ挿入させてワイシャツ９の両側部当接個所９３を把持する。次に図６に示すように、ワイシャツ９の側部当接個所９３を下方の矢印Ｘ方向に同時に引くことにより、ワイシャツ９の左右前後のバランス良く同じ丈を同時にズボン１内に引き込み、図５で示したワイシャツ９のだぶついた部分９９をズボン１の中に入れてワイシャツ９のずり上がりを直す。ワイシャツ９のずり上がりを直した後に、ズボン１の両外側のスライドファスナー６を閉じて開口５を閉じる。
【産業上の利用可能性】
【００３３】
以上のような本発明によれば、ズボンやスカート等の下半身用衣服に極めて簡単な構成の付加によって、衣服の作用効果を顕著に高めることが出来、新たな下半身衣服の需要増大による衣料産業の発達が期待できる。更に通常の下半身用衣服の簡単な改修により本発明の下半身用衣服を構成できるので、縫製工場や仕立て屋で作業可能であり、その需要の増大を期待できる。
【符号の説明】
【００３４】
１      ズボン
１０    ズボン上端
２      前身頃
３      後身頃
２３０  外側部当接個所
４      ウエスト部
５       開口
６      スライドファスナー
７      手
８      タブ
９ ワイシャツ
９３    両側部当接個所
【要約】
【課題】シャツ等の上半身用衣服のズボン等の下半身用衣服からのずり上がりを容易に且つ左右のバランス良く直すことが出来る下半身用衣服を提供することを目的とする。
【解決手段】ズボン１の両外側において、ズボン１の上端から１ｃｍ以上７ｃｍ未満の下方から前身頃２と後身頃３の外側部当接個所２３０に沿って延設され、長さが１０ｃｍ以上２０ｃｍ未満に形成された開口５に、該開口５を開閉自在なスライドファスナー６が設置されていることを特徴とするズボン１。
【選択図】  図１【図１】
0005992642.tif 000002
【図２】
0005992642.tif 000003
【図３】
0005992642.tif 000004
【図４】
0005992642.tif 000005
【図５】
0005992642.tif 000006
【図６】
0005992642.tif 000007